(57)【要約】【課題】サイホン性能を向上させて、少ない洗浄水量で確実にサイホンを生じさせることができ、しかも汚物が詰まることがなく、少ない洗浄水量で汚物を良好に排出することができる排水ソケットを提供する。【解決手段】上端側を便器本体１の後部の排出口１ｃに接続され、下端側を床面Ｆの排水管９に接続される排水ソケット２内には、前方向に湾曲状に下傾する前傾流路Ｒ１と、後方向に湾曲状に下傾する後傾流路Ｒ２が、上下に滑らかに湾曲する屈曲部４ｂにより上下方向に連続形成されている。【選択図】図１
2008184746.tif 000002
【特許請求の範囲】
【請求項１】
上端側を便器本体後部の排出口に接続され、下端側を床面の排水管に接続される排水ソケットであって、
該排水ソケット内には、前方向に湾曲状に下傾する前傾流路と、後方向に湾曲状に下傾する後傾流路が、上下に滑らかに湾曲する屈曲部により上下方向に連続形成されていることを特徴とする排水ソケット。
【請求項２】
前記屈曲部の流路断面が略Ｄ形状に形成されていることを特徴とする請求項１に記載の排水ソケット。
【発明の詳細な説明】
【技術分野】
【０００１】
本発明は、洋風便器本体の排出口と床面の排水管をつなぐ排水ソケットに関するものである。
【背景技術】
【０００２】
従来、特許文献１に開示されているように、便器本体の排出口と、床面に埋設された排水管とを、曲り部を有する排水ソケットで接続した構造の床排水式便器が存在する。
【特許文献１】実開昭５０−９２５４３号公報
【発明の開示】
【発明が解決しようとする課題】
【０００３】
上記特許文献１のように、排水ソケット内に、急激に曲った曲り部が形成されている構造では、排水ソケット内を流れる水流に抵抗が生じてサイホンは起こり易くなるが、逆に水は抜け難くなり、汚物が詰まり易くなるという問題点があった。
【課題を解決するための手段】
【０００４】
本発明は上記従来の問題点に鑑み案出したものであって、サイホン性能を落とさずに汚物の詰まりを無くすことのできる排水ソケットを提供することを目的とし、その請求項１は、上端側を便器本体後部の排出口に接続され、下端側を床面の排水管に接続される排水ソケットであって、該排水ソケット内には、前方向に湾曲状に下傾する前傾流路と、後方向に湾曲状に下傾する後傾流路が、上下に滑らかに湾曲する屈曲部により上下方向に連続形成されていることである。
【０００５】
また請求項２は、前記屈曲部の流路断面が略Ｄ形状に形成されていることである。
【発明の効果】
【０００６】
本発明は、上端側を便器本体後部の排出口に接続され、下端側を床面の排水管に接続される排水ソケットであって、該排水ソケット内には、前方向に湾曲状に下傾する前傾流路と、後方向に湾曲状に下傾する後傾流路が、上下に滑らかに湾曲する屈曲部により上下方向に連続形成されていることにより、排水ソケット内は略Ｓ字状の流路となっているため、水流の抵抗を大きくすることができ、少ない洗浄水量でサイホンを起こすことができる。
【０００７】
また、前記屈曲部の流路断面が略Ｄ形状に形成されていることにより、流路の断面をＤ形状とすることで、流路の縦横の径を変えることなく面積を広げることができ、サイホン性能を落とさずに汚物の抜けを良くして詰まりを無くすことができ、少ない洗浄水量で汚物を排出することが可能となる。
【実施例】
【０００８】
以下、本発明の実施例を図面に基づいて説明する。
図１は、便器本体の据付状態の縦断面構成図であり、便器本体１のボール部１ａの下流側には略逆Ｕ字状にトラップ流路１ｂが形成されており、このトラップ流路１ｂの入口１ｂａは、ボール部１ａから下方に傾斜した直線的な流入部となっている。また、ボール部１ａも、前方からトラップ流路１ｂの入口１ｂａまでの形状がほぼ直線状となっており、これにより、洗浄水を効果的にトラップ流路１ｂに誘導でき、流速を確保して、汚物を排出しやすくなり、少ない洗浄水量で済むようになっている。なお、トラップ流路１ｂの入口１ｂａの直線的な流入部は、２０ｍｍ以上確保することが望ましい。
また、トラップ流路１ｂの下流端には、床面Ｆ側に向かって垂下状に開口する排出口１ｃが形成されている。この排出口１ｃと、床面Ｆに埋設された排水管９との間は、排水ソケット２で接続されるものである。
【０００９】
本例における排水ソケット２は、図２に縦方向断面の半断面斜視図で拡大して示すような構造となっており、縦方向に延びる本体部４の上端に上端連結部５が一体形成され、本体部４の下端側には下方へ突出して下端差込部６が一体形成されている。
上端接続部５は、外側に竹の子状の爪部を有し、円筒状に立ち上げ形成されて上面が開放されており、この上端接続部５の外周および上面にゴムパッキン３を被せて、ゴムパッキン３の上面に形成されている上面差込孔３ａ内に、便器本体の排出口１ｃを差し込んで連結することができるものである。
ゴムパッキン３は、上端接続部５の爪部に係止されることにより、外れにくくなっており、さらに、ゴムパッキン３の外側下方の凹状部３ｂに、図示しない締結バンドを締め付けて、ゴムパッキン３は強固に上端接続部５に固定されるものである。
上端接続部５の下端には、内側へ水平な水平部５ａが形成され、水平部５ａの内端で下方側へ垂下する垂直部５ｂが形成され、垂直部５ｂの下端で内径側へ水平に突出して棚部５ｃが形成されており、この棚部５ｃの内側が本体部４の上端の入口４ａを形成しており、この入口４ａは、便器本体の排出口１ｃの内径と同寸法の直径６０ｍｍの円形状に形成されている。
【００１０】
この入口４ａから、前方向に湾曲状に下傾して前傾流路Ｒ１が本体部４内に形成されており、この前傾流路Ｒ１の下端側は、本体部４の内壁を前方側へ突出させた屈曲部４ｂで下方側の後傾流路Ｒ２に滑らかに連続しており、後傾流路Ｒ２は、屈曲部４ｂから後方向に湾曲状に下傾して形成されている。なお、屈曲部４ｂは上下方向に緩やかに湾曲して、前傾流路Ｒ１の下端側と後傾流路Ｒ２の上端側を滑らかな略Ｓ字状の連続湾曲面として繋げている。
なお、前傾流路Ｒ１上端の中心線Ｐ１と、屈曲部４ｂの流路中心線Ｐ２間の偏芯距離ａは１０ｍｍ〜４０ｍｍに設定されており、後傾流路Ｒ２下端の中心線Ｐ３と、屈曲部４ｂの流路中心線Ｐ２間の偏芯距離ｂも１０ｍｍ〜４０ｍｍに設定されている。
【００１１】
なお、この屈曲部４ｂにおける本体部４内の流路の水平断面を図３の切断斜視図で示すと、この屈曲部４ｂにおける流路断面は略Ｄ形状に形成されている。
即ち、屈曲部４ｂにおける流路断面は図３に示すように、後面側の直線状後面４１に対し、前面側は水平面内で湾曲した前側湾曲面４２となっており、この前側湾曲面４２と直線状後面４１は左右の平行な直線状側面４３，４４でつながれて略Ｄ字状断面に形成されている。
このように、前傾流路Ｒ１の上端の入口４ａ側の流路断面は円形に形成され、屈曲部４ｂで流路断面は略Ｄ形状となり、後傾流路Ｒ２の下端側では流路断面は円形に形成されて、入口４ａから下方に向かって徐々に流路断面は絞られている。
【００１２】
なお、屈曲部４ｂにおける直線状後面４１と前側湾曲面４２間の前後方向距離は５５ｍｍに設定され、直線状側面４３と直線状側面４４間の左右方向距離も５５ｍｍに設定されている。即ち、このＤ字状断面は、内側に円が内接される形状であり、内接される円形状断面よりも、直線状後面４１と左右の直線状側面４３及び４４の交わる部分の面積を広げることができて、この屈曲部４ｂでは、円形断面よりも面積が広げられており、汚物が抜け易いように設定されている。
【００１３】
入口４ａから下方に向かって徐々に流路断面を絞っているが、図４に要部を拡大して示すように、下端差込部６の内周面は、下端側へ向かってラッパ状に拡径した拡径部６ａとなっており、この拡径部６ａの下端に、内方側へ突出してオリフィス棚部６ｂが一体形成されている。このオリフィス棚部６ｂの内周は、直径５４ｍｍの出口６ｃとなっている。
本体部４の下端側の外周には、外側へ突出して床面Ｆに固定するための固定用フランジ部７が一体形成され、この固定用フランジ部７よりも下方に向かって下端差込部６が垂下状に形成されており、この下端差込部６を図１のように、排水管９内に差し込んで排水管９に接続できるものである。
排水管９の上端の床面Ｆには、予め床フランジ８が設けられ、この床フランジ８上に排水ソケット２の固定用フランジ部７が覆設固定されるものである。
【００１４】
このように構成された排水ソケット２においては、排出口１ｃの内径と入口４ａの内径が同寸法であり、棚部５ｃが形成されているため、便器本体の排出口１ｃから流下される洗浄水は、排出口１ｃの内面に沿って外側に向かって落ち、棚部５ｃに当り、洗浄水が中心付近に集まり、流路内が満水になり易いように設計されている。また、紙等の汚物は真っ直ぐ下に落ちるため、汚物は詰まり難くなる。
【００１５】
また、洗浄水は前傾流路Ｒ１から屈曲部４ｂで屈曲されて反対側の後方側に向かって後傾流路Ｒ２内を流れ落ち、略Ｓ字状の流路となっているため抵抗が生じて、サイホンが起きやすいように設計されている。即ち、前傾流路Ｒ１上端の中心線Ｐ１と屈曲部４ｂの流路中心線Ｐ２間の偏芯距離ａ、および、後傾流路Ｒ２下端の中心線Ｐ３と屈曲部４ｂの流路中心線Ｐ２間の偏芯距離ｂは１０ｍｍ〜４０ｍｍに設定されているため、水が抜け易く、かつ抵抗が生じやすい設計となっている。なお、偏芯距離が小さいと、抵抗が少なくサイホンが起こるのが遅くなり、逆に、偏芯距離が大きいと、抵抗が大でサイホンが起きやすいが、洗浄水の抜けが悪く詰まり易くなる。
【００１６】
一旦流路Ｒ１，Ｒ２内が満水状態となりサイホンが生じた後は、洗浄水を早く抜く必要があるため、屈曲部４ｂは前述したようにＤ字状断面に形成されて屈曲部４ｂ付近の流路面積を広く確保しており、サイホン性能を落とすことなく汚物が抜け易くなる。
また、下端の出口６ｃには、拡径部６ａが形成され且つオリフィス棚部６ｂが形成されているため、洗浄水はオリフィス棚部６ｂに当たって抵抗となり、サイホンがより起こり易いものとなり、しかも、紙等の汚物は拡径部６ａにより真直ぐ出口６ｃ内を流下できて、詰まり難いものなる。
【００１７】
このように本例の排水ソケット２ではサイホン性能を向上させて、少ない洗浄水量で確実にサイホンを生じさせることができ、しかも汚物が詰まることがなく、少ない洗浄水量で汚物を良好に排出することができるものとなる。
【図面の簡単な説明】
【００１８】
【図１】便器本体の据付状態の縦断面構成図である。
【図２】図１における排水ソケットの縦断面斜視構成図である。
【図３】図２における排水ソケットの屈曲部を水平に切断して上から見た斜視構成図である。
【図４】排水ソケットの下端差込部の拡大斜視図である。
【符号の説明】
【００１９】
１  便器本体
１ｂ  トラップ流路
１ｃ  排出口
２  排水ソケット
３  ゴムパッキン
３ａ  上面差込部
４  本体部
４ａ  入口
４ｂ  屈曲部
５  上端接続部
５ｃ  棚部
６  下端差込部
６ａ  拡径部
６ｂ  オリフィス棚部
６ｃ  出口
７  固定用フランジ部
９  排水管
４１  直線状後面
４２  前側湾曲面
４３，４４  直線状側面
Ｆ  床面
Ｒ１  前傾流路
Ｒ２  後傾流路
【図１】
2008184746.tif 000003
【図２】
2008184746.tif 000004
【図３】
2008184746.tif 000005
【図４】
2008184746.tif 000006